【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
制御された環境において複数の位置の空気をサンプリングするためのシステムであって、
所定の制御された環境内で所定の体積の空気を監視およびテストするように構成された複数の空気サンプリング装置と、
複数の真空接続部であって、各1つが前記体積の空気を前記複数の空気サンプリング装置の１つから受け取るように構成された複数の真空接続部と、
複数の流量制御弁であって、各１つが前記複数の真空接続部の１つにより受け取る前記体積の空気の質量流量を制御するように構成された複数の流量制御弁と、
複数のアクチュエータであって、各１つが前記流量制御弁の１つを開閉するように構成された複数のアクチュエータと、
複数の流量センサであって、各１つが前記複数の真空接続部の１つにより受け取る前記体積の空気の前記質量流量を検出するように構成された複数の流量センサと、
プログラマブルロジックコントローラ（ＰＬＣ）を含むフローセンターとを有し、
前記ＰＬＣは、
前記複数の空気サンプリング装置のそれぞれにおける望ましい質量流量を表す設定値を受信することと、
前記複数の流量センサから、前記複数の真空接続部のそれぞれの前記質量流量を表す測定流量を受信することと、
前記測定流量と前記設定値との差を表すエラーを求めることと、
前記複数のアクチュエータに制御信号を出力し、前記測定流量と前記設定値との差を減らすこととを行うように構成されており、さらに、
前記複数の空気サンプリング装置の１つにおける望ましい質量流量を表す少なくとも１つの設定値を受信するように構成されたグラフィカルユーザーインタフェース（ＧＵＩ）を含むオペレータ・インタフェース端末を有するシステム。
【請求項２】
請求項１において、
前記複数の空気サンプリング装置は、第１の空気サンプリング装置と第２の空気サンプリング装置とを含み、
前記複数の真空接続部は、真空ポンプとマニホールドを介して連通し、前記第１の空気サンプリング装置から前記体積の空気を受け入れる第１の真空接続部と、
前記真空ポンプと前記マニホールドを介して連通し、前記第２の空気サンプリング装置から前記体積の空気を受け入れる第２の真空接続部とを含み、
前記ＰＬＣが、さらに、前記第２の真空接続部を通過する前記体積の空気の変動に起因する、前記第１の真空接続部により受け入れられる前記体積の空気の前記測定流量と前記第１の空気サンプリング装置における前記望ましい質量流量を表す前記設定値との差を減らすように構成されている、システム。
【請求項３】
請求項１において、
前記複数の流量制御弁はそれぞれ、それぞれの流量制御弁に対応する前記真空接続部の前記設定値と前記測定流量との差の大きさに比例して、その流量制御弁のポジションを変えて調整するように構成されている、システム。
【請求項４】
請求項１において、
前記複数の流量制御弁はそれぞれ、それぞれの流量制御弁に対応する前記真空接続部の前記測定流量の変化率に、その流量制御弁のポジションの変化率が比例して開閉するように構成されている、システム。
【請求項５】
請求項１において、
当該システムは、前記複数の真空接続部が受け取る前記体積の空気の前記質量流量を表すデータを、ネットワーク接続を介して外部デバイスに出力するように構成されている、システム。
【請求項６】
請求項５において、
前記外部デバイスは、リモート監視・制御システムまたはデータ収集システムである、システム。
【請求項７】
請求項５において、
前記ネットワーク接続はインターネットを介した通信を含み、前記外部デバイスがウェブブラウザまたはリモートデスクトップ・アプリケーションを介してデータを受信する、システム。
【請求項８】
請求項１において、
当該システムは、外部デバイスから受け取る設定値に基づいて、前記複数の真空接続部の１つにより受け取る前記体積の空気の前記質量流量を制御するように構成されている、システム。
【請求項９】
請求項１において、
当該システムは、インターネットを介してウェブブラウザまたはリモートデスクトップ・アプリケーションから受け取る設定値に基づいて、前記複数の真空接続部の１つにより受け取る前記体積の空気の前記質量流量を制御する、システム。
【請求項１０】
請求項１において、
前記複数の真空接続部はそれぞれ、１つのマニホールドを介して１つの真空ポンプと流体連通しており、前記真空ポンプが前記複数の空気サンプリング装置から前記体積の空気を吸引する、システム。
【請求項１１】
請求項１０において、
前記真空ポンプは、前記真空ポンプへ電源を供給および制御するように構成された接触器をさらに有し、前記接触器が前記真空ポンプへの電源を切断するように構成された非常停止ボタンを含む、システム。
【請求項１２】
請求項１０において、
前記グラフィカルユーザーインタフェースが前記真空ポンプへの電源を切断するように構成される非常停止ボタンを有する、システム。
【請求項１３】
請求項１０において、
当該システムは、前記真空ポンプに流体連通している前記真空接続部の１つにより受け取る前記体積の空気の前記質量流量が予め定められた閾値以下であるとの判定に応じて、前記真空ポンプへの電源を切断するように構成されている、システム。
【請求項１４】
請求項１において、
前記オペレータ・インタフェース端末が前記フローセンターと共通の場所に配置されている、システム。
【請求項１５】
請求項１において、
前記オペレータ・インタフェース端末が前記複数の空気サンプリング装置の１つと共通の場所に配置されている、システム。
【請求項１６】
制御された環境において複数の位置の空気をサンプリングするための方法であって、
複数の空気サンプリング装置により、制御された環境内で複数の体積の空気を監視およびテストすることと、
複数の真空接続部により、前記複数の空気サンプリング装置それぞれから前記複数の体積の空気を受け取ることと、
複数の流量制御弁により、前記複数の真空接続部のそれぞれにより受け取る前記複数の体積の空気の質量流量を制御することと、
前記複数の流量制御弁のそれぞれを、複数のアクチュエータの１つにより開閉することと、
複数の流量センサにより、前記真空接続部のそれぞれにより受け取る前記複数の体積の空気の質量流量を検出することと、
プログラマブルロジックコントローラ（ＰＬＣ）を含むフローセンターにより前記複数の流量センサから、前記複数の真空接続部のそれぞれにより受け取られた空気の前記質量流量を表す測定流量を受信することと、
グラフィカルユーザーインタフェース（ＧＵＩ）を含むオペレータ・インタフェース端末に、前記複数の真空接続部のそれぞれにより受け取る空気の前記質量流量を表すデータを出力することと、
前記ＧＵＩを介して前記オペレータ・インタフェース端末から、前記複数の真空接続部の１つの所望の質量流量を表す設定値を受信することと、
前記複数のアクチュエータに対し、前記測定流量と前記設定値との差を減らす制御信号を出力することとを有する方法。
【請求項１７】
請求項１６において、
第１の空気サンプリング装置における前記所望の質量流量を表す前記設定値と前記第１の空気サンプリング装置から前記体積の空気を受け入れる第１の真空接続部により受け入れられた前記体積の空気の前記測定流量との差は、前記第１の真空接続部とマニホールドを介して連通している第２の真空接続部を通過する前記体積の空気の変動に起因する、方法。
【請求項１８】
請求項１６において、
前記複数の流量制御弁のそれぞれを、その流量制御弁の位置の変化が、その流量制御弁に対応する前記真空接続部の前記測定流量と前記設定値との差の大きさに比例するように、調節することをさらに有する方法。
【請求項１９】
請求項１６において、
前記複数の流量制御弁のそれぞれを、その流量制御弁の位置の前記変化が、その流量制御弁に対応する前記真空接続部の前記測定流量と前記設定値との差の変化率に比例するように調節することをさらに有する方法。
【請求項２０】
請求項１６において、
ネットワーク接続を介して、前記複数の真空接続部により受け取る前記複数の体積の空気の前記質量流量を表すデータを外部デバイスに出力することをさらに有する方法。
【請求項２１】
請求項１６において、
前記複数の真空接続部により受け取る前記複数の体積の空気の前記質量流量を表すデータをリモート監視・制御システムまたはデータ収集システムに出力することをさらに有する方法。
【請求項２２】
請求項１６において、
前記複数の真空接続部により受け取る前記複数の体積の前記質量流量を表すデータをウェブブラウザまたはリモートデスクトップ・アプリケーションを介して外部デバイスに出力することをさら有する方法。
【請求項２３】
請求項１６において、
前記複数の真空接続部の１つにより受け取る前記体積の空気の前記質量流量を外部デバイスから受け取る設定値に基づいて制御することをさらに有する方法。
【請求項２４】
請求項１６において、
前記複数の真空接続部の１つにより受け取る前記体積の空気の前記質量流量をインターネットを介してウェブブラウザまたはリモートデスクトップ・アプリケーションから受け取る設定値に基づいて制御することをさらに有する方法。
【請求項２５】
請求項１６において、
制御された環境内で空気の前記複数の体積を監視およびテストすることは、
マニホールドを介して真空ポンプにより、前記複数の真空接続部を通じて前記複数の空気サンプリング装置から前記複数の体積の空気を吸引することをさらに有する方法。
【請求項２６】
請求項２５において、
前記真空ポンプへの電源を切断するように構成された非常停止ボタンを有する接触器を介して前記真空ポンプへの電源を供給および制御することをさらに有する方法。
【請求項２７】
請求項２８において、
前記グラフィカルユーザーインタフェースの一部として、前記真空ポンプへの電源を切断するように構成された非常停止ボタンが設けられている方法。
【請求項２８】
請求項２８において、
前記真空ポンプに流体連通している前記複数の真空接続部の１つにより受け取る前記体積の空気の前記質量流量が予め定められた閾値以下にあると前記真空ポンプへの電源を切断することをさら有する方法。
【請求項２９】
請求項１８において、
前記オペレータ・インタフェース端末は、前記フローセンターと共通の場所に配置される方法。
【請求項３０】
請求項１８において、
前記オペレータ・インタフェース端末は、前記複数の空気サンプリング装置の１つと共通の場所に配置される方法。